(57)【要約】【課題】先行技術では、専用の受雪板感知器やリレー駆動部を含めた基板が必要であり、装置の大型化やコストアップ等が避けられない課題があった【解決手段】複数の撮像装置及びサーバーから構成されるカメラシステムであって、撮像装置及びサーバーのうち少なくとも一つは、他方の撮像装置への着雪状態を確認する着雪認識手段と、前記着雪認識手段により得られた着雪レベルが所定レベル以上か判別する着雪レベル判定手段と、を備え、着雪レベル判定手段により、前記他方の撮像装置への着雪レベルが所定以上と判断された場合、他方の撮像装置に具備された発熱手段を起動する。【選択図】図３
2016201717.tif 000002
【特許請求の範囲】
【請求項１】
複数の撮像装置及びサーバーから構成されるカメラシステムであって、
前記撮像装置及び前記サーバーのうち少なくとも一つは、他方の撮像装置への着雪状態を確認する着雪認識手段と、前記着雪認識手段により得られた着雪レベルが所定レベル以上か判別する着雪レベル判定手段と、を備え、
前記着雪レベル判定手段により、前記他方の撮像装置への着雪レベルが所定以上と判断された場合、該他方の撮像装置に具備された発熱手段を起動することを特徴とするカメラシステム。
【請求項２】
前記着雪認識手段は、画像認識であることを特徴とする請求項１に記載のカメラシステム。
【請求項３】
前記着雪レベルは、前記カメラシステムを構成する撮像装置毎に固有の値を有することを特徴とする請求項１に記載のカメラシステム。
【請求項４】
前記撮像装置は、温度検知手段を具備し、該温度検知手段により検知された温度が所定値以上の場合、前記発熱手段を起動不可とすることを特徴とする請求項１に記載のカメラシステム。
【発明の詳細な説明】
【技術分野】
【０００１】
本発明は、ネットワークカメラに於ける降雪等による映像品位低下を抑制するシステムに関する。
【背景技術】
【０００２】
近年、画像を遠隔的にモニタリングできるネットワークカメラに於いて、屋外への設置需要が高まりつつある。屋外への設置に際しては、降雪、降雨、粉塵、寒暖差、湿度、日光、塩害、ガス等様々な環境を考慮する必要があり、これら個々の環境に対するカメラ自体への対応も急務となっている。
【０００３】
特許文献１には、カメラケースへの着雪による重量アップに伴うカメラ旋回動作への影響を考慮し、カメラ本体を格納するカメラケースの天面にヒーターを設け、カメラケース近傍に配設された受雪板感知器の出力に応じてリレー駆動部を介して該ヒーターをオンにする、という形態が開示されている。
【先行技術文献】
【特許文献】
【０００４】
【特許文献１】特開２０００−１３６５６号公報
【発明の概要】
【発明が解決しようとする課題】
【０００５】
しかしながら、特許文献１では、専用の受雪板感知器やリレー駆動部を含めた基板が必要であり、装置の大型化やコストアップ等が避けられない課題があった。小型、ローコスト化のトレンドの波がネットワークカメラ市場を取り巻いている昨今、上述の課題への対応が喫緊のテーマである。
【課題を解決するための手段】
【０００６】
そこで、上記課題を解決する為に、請求項１に記載のカメラシステムは、複数の撮像装置及びサーバーから構成され、前記撮像装置及び前記サーバーのうち少なくとも一つは、他方の撮像装置への着雪状態を確認する着雪認識手段と、前記着雪認識手段により得られた着雪レベルが所定レベル以上か判別する着雪レベル判定手段と、を備え、前記着雪レベル判定手段により、前記他方の撮像装置への着雪レベルが所定以上と判断された場合、該他方の撮像装置に具備された発熱手段を起動することを特徴とする。
【発明の効果】
【０００７】
本発明によれば、複数の撮像装置及びサーバーから構成されるカメラシステムに於いて、前記撮像装置及び前記サーバーのうち少なくとも一つは、他方の撮像装置への着雪状態を確認する着雪認識手段と、前記着雪認識手段により得られた着雪レベルが所定レベル以上か判別する着雪レベル判定手段と、を備え、前記着雪レベル判定手段により、前記他方の撮像装置への着雪レベルが所定以上と判断された場合、該他方の撮像装置に具備された発熱手段を起動すること、を特徴とするので、従来技術のような専用の受雪板感知器やリレー駆動部を含めた基板が不要であり、装置の大型化やコストアップ等を回避しながら、着雪によるカメラ動作不良や映像品質低下などのリスクを最小化できる。
【図面の簡単な説明】
【０００８】
【図１】本発明を適用したネットワークカメラシステムの一例を示すブロック図である。
【図２】本発明を適用したネットワークカメラシステムの概念図である。
【図３】本発明を適用したネットワークカメラシステムに於ける処理フローチャートである。
【発明を実施するための形態】
【０００９】
以下添付図に従って、本発明を適用したネットワークカメラシステムの実施形態について詳説する。
【００１０】
図１は本発明を適用したネットワークカメラシステムの一例を示すブロック図である。撮像装置(Ａ)１は、レンズ１０１、ＣＭＯＳやＣＣＤに代表される撮像部１０２、取得された映像データを圧縮する画像圧縮部１０３、ネットワーク４を介してサーバー２や撮像装置(Ｂ)３と通信するための通信制御部１０４、レンズのパンチルト方向やズーム、フォーカス位置等を制御するためのカメラ制御部１０５、から構成されている。
【００１１】
サーバー２は、ネットワーク４経由で得られた映像情報を処理する通信制御部２０１、該映像情報を伸長するための画像伸長部２０２、画像処理、解析を司る画像解析部２０３、映像記録、カメラ情報、表示情報等を記憶する記憶部２０４、ネットワーク経由で接続された個々の撮像装置を制御/操作するためのカメラ操作入力部２０６、個々の撮像装置固有の値を記憶する記憶部２０５、から構成されている（詳細は後述）。記憶部２０５は、記憶部２０４に記録される主たる映像情報のバックアップ等の役割も担っている。
【００１２】
撮像装置（Ｂ）３は、撮像装置（Ａ）１同様に、レンズ３０１、撮像部３０２、取得された映像データを圧縮する画像圧縮部３０３、ネットワーク４を介してサーバー２や撮像装置(Ａ)１と通信するための通信制御部３０４、ズーム、フォーカス位置等を制御するためのカメラ制御部３０５、から構成され、更にチップ抵抗から形成される発熱手段３０７、撮像措置周囲の温度を検知する温度検知手段３０６を具備している。撮影者は、複数の撮像装置から得られた映像情報を、ビューワークライアント５からモニタリングする形態となっている。
【００１３】
図２は本発明を適用したネットワークカメラシステムの概念図、図３は本発明を適用したネットワークカメラシステムに於ける、着雪時の処理フローチャートである。撮像装置（Ｂ）３は、撮像装置（Ａ）１の撮影範囲内に納まるように好適な形態で設置されており、本実施例に於いては、撮像装置（Ａ）１はレンズ１０１が筺体内でパンチルト方向に動作する所謂パンチルト型のネットワークカメラ、撮像装置（Ｂ）３はレンズ３０１の方向が所定の向きに固定されている所謂固定箱型のネットワークカメラとしている。
【００１４】
また、撮像装置（Ａ）１、撮像装置（Ｂ）３は共に屋外環境下に設置されており、例えば寒冷期に於いては、図２に示すようにカメラ本体のハウジングに着雪するケースが考えられる。このような状況下で懸念される事案として、例えばレンズ３０１前面に配設された略透明のカバー部材３１０へ着雪が及び、適切な監視映像が得られなくなる可能性がある。また、仮に撮像装置（Ｂ）３が旋回型のカメラの場合（不図示）、カメラ本体への着雪によりヘッドの重量が嵩み、この結果旋回動作不良が発生するリスクがある。
【００１５】
撮像装置（Ａ）１は、経常的乃至は環境温度等に応じて適宜、撮像装置（Ｂ）３を捕捉しており（Ｓ３０１）、本実施例ではこの取得した映像情報を撮像装置（Ａ）１の通信制御部１０４からネットワーク４経由でサーバー２へ伝送し該サーバー２内の画像処理部２０３で輝度レベル含めた画像解析を行い、着雪レベルを解析する（Ｓ３０２）。ここで、撮像装置のカバー部材１１０、３１０は、図２に示すように製品形態に応じて異なるため、着雪レベルの判定値も製品形態に応じて固有の値を持たせている。該固有値はサーバー２上の記憶部２０５に予め記録されており、前述の画像解析結果と該固有値を照合することにより、着雪レべルが所定以上かを判断する（Ｓ３０３）。
【００１６】
着雪レベルが所定以上の場合、撮像装置（Ｂ）３に具備された温度検知手段３０６により検出された外気温が所定値以上か判定し（Ｓ３０４）、所定値を下回る場合は、カメラ制御部３０５から発熱手段３０７にＯＮ指示を出す（Ｓ３０５、３０６）。発熱手段３０７が起動すると、筺体内温度の上昇に伴いハウジングに熱が伝播し、これによりハウジング上の着雪部が溶融され、結果降雪による映像品位低下を抑制することができる。
【００１７】
また、外気温が所定値以上の場合は、発熱手段３０７を起動不可としている。これは、例えばイタズラ等によりカメラ本体に白色布が被せられた場合、その状態で発熱手段３０７をＯＮすると製品上好ましくないためである。
【００１８】
以上述べてきたように、本発明によれば、複数の撮像装置及びサーバーから構成されるカメラシステムに於いて、前記撮像装置及び前記サーバーのうち少なくとも一つは、他方の撮像装置への着雪状態を確認する着雪認識手段と、前記着雪認識手段により得られた着雪レベルが所定レベル以上か判別する着雪レベル判定手段と、を備え、前記着雪レベル判定手段により、前記他方の撮像装置への着雪レベルが所定以上と判断された場合、該他方の撮像装置に具備された発熱手段を起動すること、を特徴とするので、従来技術のような専用の受雪板感知器やリレー駆動部を含めた基板が不要であり、装置の大型化やコストアップ等を回避しながら、着雪によるカメラ動作不良や映像品質低下などのリスクを最小化できる。
【００１９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００２０】
２０３  着雪認識手段,着雪レベル判定手段、３０７  発熱手段、
２０５  記憶部（固有値）、３０６  温度検知手段
【図１】
2016201717.tif 000003
【図２】
2016201717.tif 000004
【図３】
2016201717.tif 000005